(57)【特許請求の範囲】
【請求項１】
躯体に吊下げ支持された多数のバー材で構成される天井下地に、天井面を形成する多数の天井材を取付け、前記天井面の所定部位に、分電盤を埋め込み状態で設置し、この分電盤の下側面で前記天井面の一部を構成してあるシステム天井であって、
前記分電盤を、前記天井下地の平行なバー材間に亘って荷重を支持させる状態で載架し、
前記天井下地は、前記バー材をグリッド状に枠組みして構成され、前記分電盤の長手方向幅は前記天井下地のグリッド幅に構成され、且つ、前記分電盤の短手方向幅は前記天井下地のグリッド幅よりも小に構成され、
前記分電盤の側面部の下端部には、グリッドの分電盤設置領域を除く残余領域に配置される天井板の端部を載架状態で支持する天井板支持部が形成されているシステム天井。
【請求項２】
前記分電盤の短辺側の一方の側面部の短手方向中央部には、一方の前記バー材に対して上方から係脱自在な第１係止部が設けられ、短辺側の他方の側面部の短手方向両側部には、他方の前記バー材に対して上方から係脱自在な一組の第２係止部が設けられ、前記両第２係止部の隣接間は、前記第１係止部の長さよりも大なる間隔に構成されている請求項１記載のシステム天井。
【請求項３】
前記分電盤の長辺側の両側面部の各々には、前記分電盤内に配置される分岐ブレーカよりも大きな配線作業用の開放口が形成されている請求項１又は２記載のシステム天井。
【発明の詳細な説明】
【技術分野】
【０００１】
本発明は、躯体に吊下げ支持された多数のバー材で構成される天井下地に、天井面を形成する多数の天井材を取付け、前記天井面の所定部位に、分電盤を埋め込み状態で設置し、この分電盤の下側面で前記天井面の一部を構成してあるシステム天井に関する。
【背景技術】
【０００２】
システム天井の天井面に分電盤を埋め込み状態で設置するにあたって、従来では、多数のバー材を躯体に吊下げ支持させるシステム天井の吊下げ構造とは別に、躯体の分電盤配置相当箇所に、分電盤のケーシングを吊下げ支持する複数本の専用のアンカーボルトを垂設し、この垂設されたアンカーボルトに、分電盤のケーシングに設けた複数の取付け部をナット等で締め付け固定している（例えば、特許文献１参照）。
【先行技術文献】
【特許文献】
【０００３】
【特許文献１】特開２０００−１３４７２５号公報
【発明の概要】
【発明が解決しようとする課題】
【０００４】
上述のように、システム天井の天井面に分電盤を埋め込み状態で設置するので、例えば、オフィスビルの共用部や執務室などの電気幹線用パイプスペース（ＥＰＳ）や壁面に分電盤を設置する場合に比較して、家具配置等の使い勝手に制約を与えず、且つ、オフィスのレンタブル比及び天井面の意匠性を損なうことなく分電盤を配置することができる。反面、多数のバー材を躯体に吊下げ支持させるシステム天井の吊下げ構造とは別に、躯体の分電盤配置相当箇所に複数本のアンカーボルトからなる専用の吊下げ構造を構築する必要があるため、分電盤の取付け工事が大掛かりになり、コストが高騰化する不都合がある。
しかも、執務空間のレイアウト変更に伴って分電盤の設置位置を変更する必要が生じた場合でも、分電盤の設置位置変更工事が大掛かりになる不都合がある。
【０００５】
この実情に鑑み、本発明の主たる課題は、システム天井の吊下げ構造を利用した合理的な改良により、使い勝手に制約を与えず、且つ、オフィスのレンタブル比及び天井面の意匠性を損なうことなく、分電盤を適切な設置場所に能率良く容易に設置することができ、さらに、分電盤の設置場所の自由性と配線等の作業性を向上することのできるシステム天井を提供する点にある。
【課題を解決するための手段】
【０００６】
躯体に吊下げ支持された多数のバー材で構成される天井下地に、天井面を形成する多数の天井材を取付け、前記天井面の所定部位に、分電盤を埋め込み状態で設置し、この分電盤の下側面で前記天井面の一部を構成してあるシステム天井であって、
前記分電盤を、前記天井下地の平行なバー材間に亘って荷重を支持させる状態で載架してある。
【０００７】
上記構成によれば、分電盤をシステム天井の天井面の所定部位に埋め込み状態で設置することにより、例えば、分電盤を共用部や執務室の電気幹線用パイプスペース（ＥＰＳ）や壁面に設置する場合に比較して、家具配置等の使い勝手に制約を与えず、且つ、オフィスのレンタブル比及び天井面の意匠性を損なうことなく分電盤を配置することができる。
特に、本発明では、分電盤をシステム天井のバー材間に亘って荷重を支持させる状態で載架するので、システム天井のバー材間の何れの位置にも分電盤を配置することができるとともに、システム天井の吊下げ構造として構築されているバー材間に分電盤を載架状態で支持させるだけで済む。
それ故に、システム天井の天井面の所定部位に分電盤を能率良く容易に設置することができるとともに、分電盤の設置場所の自在性も高めることができる。さらに、システム天井の天井下地に照明器具等の他の天井設置電気機器が取付けられている場合には、略同じ高さレベルに配置される他の天井設置電気機器に対する配線等の作業性も同時に向上することができる。
また、配電盤の二次側での配線長さの減少によってローコスト化を図ることが可能で、特に、小規模テナントを想定した貸ビルでは高い効果が期待できる。
【０００８】
前記天井下地は、前記バー材をグリッド状に枠組みして構成され、前記分電盤の長手方向幅は前記天井下地のグリッド幅に構成され、且つ、前記分電盤の短手方向幅は前記天井下地のグリッド幅よりも小に構成されている。
【０００９】
上記構成によれば、分電盤の長手方向幅が天井下地のグリッド幅に構成されているので、天井下地に区画形成されている何れのグリッドに対しても、そのグリッドを構成する両バー材間に分電盤を載架することができる。しかも、分電盤の短手方向幅は天井下地のグリッド幅よりも小に構成されているので、分電盤の軽量化を図ることができる。
それ故に、天井下地の何れのグリッドに対しても分電盤を能率良く容易に取付けることができとともに、分電盤の取付け作業性と設置場所の自在性をより向上することができる。
【００１０】
前記分電盤には、前記両バー材に対して上方から係脱自在な係止部が設けられている。
【００１１】
上記構成によれば、システム天井の天井面の所定部位に分電盤を埋め込み状態で設置するとき、分電盤に設けた係止部を、天井面の所定部位に配設されている両バー材に対して上方から乗せ掛けるだけで、分電盤をバー材間に亘って荷重を支持させる状態で載架することができる。それ故に、分電盤の取付け作業性を一層向上することができる。
【００１２】
前記分電盤のケーシングの少なくとも一つの側面部が開放されている。
【００１３】
上記構成によれば、分電盤のケーシングの少なくとも一つの側面部を開放形成することにより、ケーシング自体の重量を軽減することができるとともに、この側面部の大きな開放口を、分電盤に配置される分岐ブレーカ等に対する配線用の作業窓として使用することができる。それ故に、分電盤の軽量化による取付け作業性の向上と配線作業の容易化を図ることができる。
【００１４】
前記分電盤外に主幹ブレーカが配置され、前記分電盤には、前記主幹ブレーカに電力供給用ケーブルで電気接続される複数の分岐ブレーカが配置されている。
【００１５】
上記構成によれば、分電盤には複数の分岐ブレーカを配置し、各分岐ブレーカと分電盤
外に配置された主幹ブレーカとを電力供給用ケーブルで電気接続する形態を取るので、例
えば、分電盤内において主幹ブレーカと複数の分岐ブレーカとを電力供給用銅板で電気接
続する従来形態に比較して、重量のある電力供給用銅板が存在しない分だけ分電盤の軽量
化を促進することができ、分電盤の取付け作業性をさらに向上することができる。
本発明による第１の特徴構成は、躯体に吊下げ支持された多数のバー材で構成される天井下地に、天井面を形成する多数の天井材を取付け、前記天井面の所定部位に、分電盤を埋め込み状態で設置し、この分電盤の下側面で前記天井面の一部を構成してあるシステム天井であって、
前記分電盤を、前記天井下地の平行なバー材間に亘って荷重を支持させる状態で載架し、
前記天井下地は、前記バー材をグリッド状に枠組みして構成され、前記分電盤の長手方向幅は前記天井下地のグリッド幅に構成され、且つ、前記分電盤の短手方向幅は前記天井下地のグリッド幅よりも小に構成され、
前記分電盤の側面部の下端部には、グリッドの分電盤設置領域を除く残余領域に配置される天井板の端部を載架状態で支持する天井板支持部が形成されている点にある。
本発明による第２の特徴構成は、前記分電盤の短辺側の一方の側面部の短手方向中央部には、一方の前記バー材に対して上方から係脱自在な第１係止部が設けられ、短辺側の他方の側面部の短手方向両側部には、他方の前記バー材に対して上方から係脱自在な一組の第２係止部が設けられ、前記両第２係止部の隣接間は、前記第１係止部の長さよりも大なる間隔に構成されている点にある。
本発明による第３の特徴構成は、前記分電盤の長辺側の両側面部の各々には、前記分電盤内に配置される分岐ブレーカよりも大きな配線作業用の開放口が形成されている点にある。
【図面の簡単な説明】
【００１６】
【図１】システム天井の天井裏側からの斜視図
【図２】図１におけるＩＩ−ＩＩ線断面図
【図３】図１におけるＩＩＩ−ＩＩＩ線断面図
【図４】１つのグリッドに対応する分電の配置説明図
【図５】分電盤の斜視図
【図６】分電盤の配線状態の説明図
【発明を実施するための形態】
【００１７】
〔第１実施形態〕
図１〜図４は、建物の一例であるオフィスビルのシステム天井を示す。このシステム天井では、躯体としての床スラブ１の複数個所から垂設された吊りボルト２に、アルミ合金製やスチール製等の細長いバー材の一例である多数のＴバー３が、直吊りハンガー等の各種のジョイント４を介して水平姿勢で吊下げ支持されている。
Ｔバー３の形態としては従来から種々の形態のものが存在し、そのいずれの形態のものも好適に用いることができる。本実施形態で用いられるＴバー３は、図２、図３に示すように、上下方向に沿う板状のウェブ３Ｃと、このウェブ３Ｃの下端部から両側方に張り出す状態で一体形成される横断面形状が略コ状の下側フランジ部３Ａと、ウェブ３Ｃの上端部から両側方に張り出す状態で一体形成される横断面形状が中空矩形状の上側フランジ部３Ｂとから構成されている。
Ｔバー３の下側フランジ部３Ａの横断方向での横幅は、上側フランジ部３Ｂの横断方向での横幅よりも大に構成されている。
【００１８】
多数のＴバー３は、同一水平面上において直交する縦横方向に沿って等間隔で連結され、この連結された多数のＴバー３をもってグリット状に枠組みされた天井下地５が構成されている。この天井下地５に区画形成されている多数の正方形のグリッド６は、例えば、縦方向のグリッド幅Ｌ×横方向のグリッド幅Ｌが600ｍｍ×600ｍｍ、又は、640ｍｍ×640ｍｍの大きさに構成されている。
【００１９】
天井下地５を構成する縦横のＴバー３のうち、各グリッド６を区画形成する縦方向及び横方向で相対向する二組のＴバー３の下側フランジ部３Ａに亘って、縦方向のグリッド幅Ｌ×横方向のグリッド幅Ｌに対応する寸法で正方形に形成された天井材の一例である天井板７が取付けられ、多数の天井板７の下面側の天井仕上げ面とＴバー３の下側フランジ部３Ａの下面とでシステム天井の天井面Ｃの主要部が形成されている。
各天井板７の周側面部には、Ｔバー３の下側フランジ部３Ａの高さに相当する溝深さの環状掛止溝部７ａが形成されている。そのため、各天井板７の環状掛止溝部７ａを、各グリッド６を区画形成するＴバー３の下側フランジ部３Ａに対して上方から係合状態で乗せ掛けることにより、各天井板７をＴバー３に荷重を支持させる状態で載架してある。
【００２０】
そして、上述のシステム天井においては、天井面Ｃの所定部位に分電盤Ｄが埋め込み状態で設置され、天井面Ｃの他の所定部位には、図示はしないが照明器具等の他の天井配置機器が埋め込み状態で設置され、分電盤Ｄの下側面と他の天井配置機器の下側面が天井面Ｃの一部を構成することになる。
上述のように、分電盤Ｄをシステム天井の天井面Ｃの所定部位に埋め込み状態で設置することにより、例えば、分電盤Ｄを共用部や執務室などの電気幹線用パイプスペース（ＥＰＳ）や壁面に設置する場合に比較して、家具配置等の使い勝手に制約を与えず、且つ、オフィスのレンタブル比及び天井面Ｃの意匠性を損なうことなく分電盤Ｄを配置することができる。
【００２１】
分電盤Ｄのケーシング１０は、図１〜図４に示すように、各グリッド６を区画形成する縦方向及び横方向で相対向する二組のＴバー３間に入り込み配置可能な略直方体形状に構成されている。詳しくは、分電盤Ｄのケーシング１０の長手方向幅（長辺寸法）Ｗ１は、グリッド６のグリッド幅Ｌに構成され、ケーシング１０の短手方向幅（短辺寸法）Ｗ２は、各グリッド６のグリッド幅Ｌよりも小に構成されている。本実施形態においては、ケーシング１０の短手方向幅Ｗ２は、グリッド幅Ｌの略１／３又はそれに近い寸法に構成されている。
尚、他の天井配置機器のケーシングも、分電盤Ｄのケーシング１０と同様に、長手方向幅（長辺寸法）は、グリッド６のグリッド幅Ｌに構成され、且つ、短手方向幅（短辺寸法）は、グリッド幅Ｌの略１／３又はそれに近い寸法に構成されている。
【００２２】
分電盤Ｄのケーシング１０には、下方である室内側に開口するケーシング本体１１と、当該ケーシング本体１１の開口を開閉可能な揺動式の化粧扉１２とが主要構成として備えられている。
ケーシング本体１１の長手方向で相対向する短辺側の側面部１１Ａ、１１Ｃのうち、一方の側面部１１Ａの短手方向中央部には、図１、図２、図４、図５に示すように、ケーシング１０の長手方向で相対向する一組のＴバー３の一方に対して上方から係脱自在な広幅の第１係止部１３が設けられている。ケーシング本体１１の他方の短辺側の側面部１１Ｃにおける短手方向両側部には、図２、図４、図５に示すように、ケーシング１０の長手方向で相対向する一組のＴバー３の他方に対して上方から係脱自在な狭幅の第２係止部１４が設けられている。
ケーシング本体１１の第１係止部１３及び第２係止部１４を両Ｔバー３に対して上方から係合させた状態では、ケーシング１０が両Ｔバー３に荷重を支持させる状態で安定良く三点支持される。
また、両第２係止部１４の隣接間は、第１係止部１３の長さよりも大なる間隔に構成されている。そのため、２台の分電盤Ｄを一列状態で配置する必要が生じた場合でも、一方の分電盤Ｄの両第２係止部１４が係合されているＴバー３に対して、他方の分電盤Ｄの第１係止部１３を、一方の分電盤Ｄの両第２係止部１４の隣接間に入り込み配置した状態で係合させることができる。
【００２３】
上述のように、システム天井の天井下地５に区画形成されている多数のグリッド６の何れにおいても、そのグリッド６を形成する両Ｔバー３に対して、分電盤Ｄのケーシング本体１１に設けられた第１係止部１３及び第２係止部１４を上方から係合状態で乗せ掛けることにより、分電盤Ｄを両Ｔバー３に荷重を支持させる状態で安定良く載架支持することができる。それ故に、システム天井の天井下地５における取付け対象のグリッド６に分電盤Ｄを能率良く容易に設置することができるとともに、分電盤Ｄの設置場所の自在性も高めることができる。
【００２４】
第１係止部１３及び第２係止部１４の各々は、図１、図２、図５に示すように、ケーシング本体１１の短辺側の側面部１１Ａ，１１Ｃに固着される取付け板部１３ａ，１４ａと、当該取付け板部１３ａ，１４ａの下端から水平方向の外方側に折り曲げ形成され、且つ、Ｔバー３の上側フランジ部３Ｂに対して上方から乗せ掛け状態で係合する係合板部１３ｂ，１４ｂと、当該係合板部１３ｂ，１４ｂの先端から下方に折り曲げ形成される外止め板部１３ｃ，１４ｃとから構成されている。
第１係止部１３の係合板部１３ｂ及び第２係止部１４の係合板部１４ｂは、図１、図２に示すように、Ｔバー３の上側フランジ部３Ｂに乗せ掛けられた載置状態にあるため、第１係止部１３及び第２係止部１４はＴバー３の上側フランジ部３Ｂの長手方向に沿ってスライド移動自在に構成されている。これにより、天井下地５の両Ｔバー３に載架された分電盤Ｄの取付け位置を両Ｔバー３に沿って自由に変更することができる。
また、図２に示すように、第１係止部１３の外止め板部１３ｃ及び第２係止部１４の外止め板部１４ｃには、Ｔバー３のウェブ３Ｃに当接する固定用のネジ部材１５が螺合されている。
【００２５】
図３、図５に示すように、ケーシング本体１１の長辺側の両側面部１１Ｂ，１１Ｄのうち、一方の長辺側の側面部１１Ｂの下端１１ｂは、閉止姿勢にある化粧扉１２の下側面（室内側外面）１２ａに対してＴバー３の下側フランジ部３Ａの高さに相当する寸法分だけ短く構成されている。
そのため、図３に示すように、ケーシング本体１１の第１係止部１３及び第２係止部１４を両Ｔバー３の上側フランジ部３Ｂに載架し、且つ、一方の長辺側の側面部１１ＢをＴバー３の上側フランジ部３Ｂの一側面に当接又は近接させた状態では、一方の長辺側の側面部１１Ｂの下端１１ｂが、Ｔバー３の下側フランジ部３Ａに対して上方から係合し、分電盤ＤをＴバー３に支持させる支持構造の一部を構成している。
【００２６】
また、図２、図５に示すように、ケーシング本体１１の短辺側の両側面部１１Ａ，１１Ｃの下端１１ａ，１１ｃも、上述の一方の長辺側の側面部１１Ｂと同様に、閉止姿勢にある化粧扉１２の下側面１２ａに対してＴバー３の下側フランジ部３Ａの高さに相当する寸法分だけ短く構成されている。
そのため、図２に示すように、ケーシング本体１１の第１係止部１３及び第２係止部１４を両Ｔバー３の上側フランジ部３Ｂに載架し、且つ、短辺側の両側面部１１Ａ，１１ＣをＴバー３の上側フランジ部３Ｂの一側面に当接又は近接させた状態では、短辺側の両側面部１１Ａ，１１Ｃの下端１１ａ，１１ｃが、Ｔバー３の下側フランジ部３Ａに対して上方から係合し、分電盤ＤをＴバー３に支持させる支持構造の一部を構成している。
【００２７】
図３〜図５に示すように、他方の長辺側の側面部１１Ｄの下端部には、グリッド６の分電盤設置領域を除く残余領域に配置される短寸法の天井板７の環状掛止溝部７ａを載架状態で支持する天井板支持部１６が形成されている。この天井板支持部１６の下側面１６ａは、閉止姿勢にある化粧扉１２の下側面１２ａと同じ高さ位置に構成されている。
【００２８】
図２、図３、図５に示すように、ケーシング本体１１の天井面部１１Ｅの内面には、複数（本実施形態では８個）の分岐ブレーカ２１と、複数（本実施形態では６個）の弱電用端子２２と、銅製のアースバー２３が配設されている。
そして、図６に示すように、分岐ブレーカ２１の一次側は、分電盤Ｄのケーシング１０外である共用部に配置された主幹ユニット２４の主幹ブレーカ２５と単相３線式の電力供給用ケーブル２６で電気接続され、分岐ブレーカ２１の二次側は、照明器具やコンセント、照明制御機器等の電力供給先と電力供給用ケーブル２７で電気接続されている。
弱電用端子２２の一次側は、共用部に配置された主幹ユニット２４と幹線ケーブル２９で電気接続され、弱電用端子２２の二次側は、電話機等の中継先と中継用ケーブル３０で電気接続されている。
アースバー２３には、コンセント等のアース接続機器とアース線３１で電気接続されている。
【００２９】
また、ケーシング本体１１内には、図３、図５に示すように、分岐ブレーカ２１の二次側の電力供給用ケーブル２７及び弱電用端子２２の二次側の中継用ケーブル３０に対する配線挿入孔３２ａを備えた配線ガイド板３２が、他方の長辺側の側面部１１Ｄに沿って配設されている。
さらに、図１〜図３、図５に示すように、ケーシング本体１１の長辺側の両側面部１１Ｂ，１１Ｄの各々には、当該側面部１１Ｂ，１１Ｄを開放する長手方向で二つの大きな矩形状の配線作業用の開放口３５が形成されている。
本実施形態では、ケーシング本体１１の二つの長辺側の側面部１１Ｂ，１１Ｄを開放形成するので、分電盤Ｄ自体の重量を軽減することができるとともに、この長辺側の両側面部１１Ｂ，１１Ｄの大きな開放口３５を、分電盤Ｄに配置される分岐ブレーカ２１等に対する配線作業窓として使用することができる。それ故に、分電盤Ｄの軽量化による取付け作業性の向上と配線作業の容易化を図ることができる。
【００３０】
分電盤Ｄの化粧扉１２は、ケーシング本体１１の下向き開口部に水平軸芯周りで揺動開閉自在に枢着され、化粧扉１２の長手方向中央の先端側部位には、室内側から施錠及び解錠操作可能な錠３６が設けられている。
【００３１】
〔その他の実施形態〕
（１）上述の第１実施形態では、システム天井の天井下地５を、同一水平面上において直交する縦横方向に沿って多数のＴバー３をグリット状に枠組みして構成したが、この構成に限定されない。例えば、縦方向又は横方向に沿う多数のＴバー３の上面に、横方向又は縦方向に沿う多数のＴバー３を載架してシステム天井の天井下地５を構成してもよい。
さらに、縦方向又は横方向に沿う多数のＴバー３をもってシステム天井の天井下地５を構成してもよい。
【００３２】
（２）上述の第１実施形態では、ケーシング本体１１の短辺側の両側面部１１Ａ、１１Ｃに、両Ｔバー３に対して上方から係脱自在な第１係止部１３及び第２係止部１４を設けたが、この構成に限定されない。例えば、両Ｔバー３に対して上方から係脱自在に載架される支持フレームに、分電盤Ｄのケーシング１０を取付けてもよい。
さらに、分電盤Ｄのケーシング１０を両Ｔバー３に直接にボルトやビス等で固定連結してもよい。
【００３３】
（３）上述の第１実施形態では、分電盤Ｄのケーシング１０内に分岐ブレーカ２１等を配置したが、この構成に限定されない。例えば、分電基板に分岐ブレーカ２１等を配設してもよい。
【００３４】
（４）上述の第１実施形態では、ケーシング本体１１の長辺側の両側面部１１Ｂ，１１Ｄの各々を開放形成したが、この構成に限定されない。例えば、ケーシング本体１１の長辺側の両側面部１１Ｂ，１１Ｄ及び短辺側の両側面部１１Ａ、１１Ｃの各々を開放形成してもよい。
要するに、ケーシング本体１１の側面部１１Ａ〜１１Ｄのうち、少なくとも一つの側面部を開放形成すればよい。
【符号の説明】
【００３５】
１        躯体（床スラブ）
３        バー材（Ｔバー）
５        天井下地
７        天井材（天井板）
１０      ケーシング
１１Ｂ    側面部（長辺側の側面部）
１１Ｄ    側面部（長辺側の側面部）
１３      係止部（第１係止部）
１４      係止部（第２係止部）
２１      分岐ブレーカ
２５      主幹ブレーカ
２６      電力供給用ケーブル
Ｃ        天井面
Ｄ        分電盤
Ｌ        グリッド幅
Ｗ１      長手方向幅
Ｗ２      短手方向幅
【図１】
0006690978.tif 000002
【図２】
0006690978.tif 000003
【図３】
0006690978.tif 000004
【図４】
0006690978.tif 000005
【図５】
0006690978.tif 000006
【図６】
0006690978.tif 000007